(57)【要約】    【課題】  施工が簡単でコストの低減が可能であり、而も雨仕舞に優れた建物用小窓施工方法及び建物用小窓を提供する。    【解決手段】  躯体に小窓４設置用の開口部を形成し、該開口部に型材の枠体を組込み、次に外壁仕上げする。    【選択図】          図１
2007120197.tif 000002
【特許請求の範囲】
【請求項１】
躯体に小窓設置用の開口部を形成し、該開口部に型材の枠体を組込み、次に外壁仕上げすることを特徴とする建物用小窓施工方法。
【請求項２】
躯体に小窓設置用の開口部が形成され、該開口部に型材の枠体が組込まれ、前記躯体に外壁仕上げされたことを特徴とする建物用小窓。
【請求項３】
前記枠体の少なくとも下枠の上面が傾斜している請求項２の建物用小窓。
【発明の詳細な説明】
【技術分野】
【０００１】
本発明はバルコニー、或は塀等に採光、或は通風用として設けられる小窓に関するものである。
【背景技術】
【０００２】
バルコニー、或は塀、例えば住宅の外壁に一体的に形成されたバルコニーでは、手摺が外壁から突出して一体的に設けられ、バルコニー床の３方を囲む様になっている。斯かるバルコニーでは、バルコニーの閉塞感を解消する為、或は採光用、通風用として手摺に小窓が設けられる場合がある。
【０００３】
従来、手摺、壁等に小窓を設ける場合、躯体に予め小窓設置用の開口部を形成し、手摺及び外壁を仕上げ後小窓を設置していた。又、小窓の設置は前記開口部に合わせて窓枠を取付け、更に、窓枠周囲の防水処理（雨仕舞）等の仕上げ処理を行っていた。
【０００４】
この為、小窓の設置は窓枠の切断、窓枠の躯体への固定等全てが外壁仕上げ後の処理となり、作業性が悪く、コスト高となると共に、仕上げされた表面を傷付けない様な慎重さが要求され、施工作業者の負担が大きかった。又、雨仕舞等の仕上げ処理が外壁仕上げ後の処理となる為、充分な防水処理が行えない虞れがあった。
【０００５】
尚、小窓が設けられたバルコニーについては、特許文献１に示されるものがある。特許文献１は、バルコニーの手摺に風の調節ができる開口部を設けたことが示されているが、開口部の施工方法、構造については言及されていない。
【０００６】
【特許文献１】特開２００３−２６８８６９号公報
【発明の開示】
【発明が解決しようとする課題】
【０００７】
本発明は斯かる実情に鑑み、施工が簡単でコストの低減が可能であり、而も雨仕舞に優れた建物用小窓施工方法及び建物用小窓を提供するものである。
【課題を解決するための手段】
【０００８】
本発明は、躯体に小窓設置用の開口部を形成し、該開口部に型材の枠体を組込み、次に外壁仕上げする建物用小窓施工方法に係るものである。
【０００９】
又本発明は、躯体に小窓設置用の開口部が形成され、該開口部に型材の枠体が組込まれ、前記躯体に外壁仕上げされた建物用小窓に係り、更に又前記枠体の少なくとも下枠の上面が傾斜している建物用小窓に係るものである。
【発明の効果】
【００１０】
本発明によれば、躯体に小窓設置用の開口部を形成し、該開口部に型材の枠体を組込み、次に外壁仕上げするので、前記枠体は外壁仕上げする前に組込まれるので、施工が簡単であり、又雨仕舞が向上する。
【００１１】
又本発明によれば、躯体に小窓設置用の開口部が形成され、該開口部に型材の枠体が組込まれ、前記躯体に外壁仕上げされたので、前記枠体は外壁仕上げする前に組込まれるので、施工が簡単であり、又雨仕舞が向上する。
【００１２】
更に又、前記枠体の少なくとも下枠の上面が傾斜しているので、前記枠体の表面に雨水等が溜ることなく雨仕舞が向上する等の優れた効果を発揮する。
【発明を実施するための最良の形態】
【００１３】
以下、図面を参照しつつ本発明を実施する為の最良の形態を説明する。
【００１４】
図１は本発明が実施されるベランダ１を示しており、住宅の外壁２から一体に成形された手摺３には小窓４が設けられている。
【００１５】
図２を参照して第１の実施の形態について説明する。尚、図２は図１のＡ−Ａ矢視図である。
【００１６】
図中、５は躯体、例えば木製の躯体であり、６，７はモルタル、表面パネル材等の表面部、８は上枠、下枠、側枠で構成される枠体、９はシリコンチューブ等のバックアップ材、１１はコーキング材を示している。
【００１７】
前記躯体５には小窓設置用の開口部が形成される。小窓４の窓枠を構成する前記枠体８は、アルミの押出し材等の型材であり、該枠体８には固定用のフランジ部１２が形成され、該フランジ部１２が前記躯体５に螺子等の固着具（図示せず）により固定される様になっている。
【００１８】
前記枠体８は、設置される前記小窓４の寸法に予め工場で切断され、更に、前記枠体８を固定する為の螺子孔等も工場で加工される。尚、上枠、下枠と側枠とが一体である様に成形してもよいし、別体としてそれぞれ前記躯体５に取付ける様にしてもよい。又、別体の上枠、下枠と側枠を前記躯体５への取付け前に枠状に組立てた上で、該躯体５に取付ける様にしてもよい。
【００１９】
前記躯体５の施工が完了した時点で、前記枠体８が前記フランジ部１２を介して前記躯体５に取付けられる。前記枠体８が取付けられ、窓枠が構成された後、窓枠の周囲に前記バックアップ材９が設けられる。モルタル仕上げ、表面材が張付けられる等前記表面部６，７の外壁処理がなされ、更に該表面部６，７の内縁と前記枠体８との間隙が前記コーキング材１１によって埋められる。
【００２０】
尚、要求に応じて、前記枠体８が形成する小窓孔１３には、採光機能、通風機能を損わないパンチングパネル等の化粧パネル１４が設置される。
【００２１】
上記した第１の実施の形態では、外壁仕上げと同時に、コーキング等の防水処理が行われるので、雨仕舞が向上する。又、前記枠体８は予め工場で切断されており、精度が確保されていると共に螺子孔も穿設されているので、現地作業としては、前記枠体８の組立てと、螺子止め作業だけでよいので、作業性が良い。
【００２２】
図３は第２の実施の形態を示しており、雨仕舞を向上させたものである。
【００２３】
上記第１の実施の形態では、上枠と下枠との断面形状を同一としたが、第２の実施の形態では、上枠８ａと下枠８ｂとの断面形状を異ならせたものであり、該下枠８ｂについては、上面が建屋側に向って下り傾斜となる様にしたものである。
【００２４】
尚、第２の実施の形態に於いて、前記上枠８ａ、前記下枠８ｂ等の枠体８を躯体５に固定する方法等、小窓４の施工方法については第１の実施の形態と同様であるので、説明を省略する。
【００２５】
第２の実施の形態では、降雨時前記下枠８ｂの上面に付着した雨は、斜面に沿って建屋側に流下していき、上面に溜ることがない。従って、第２の実施の形態では雨仕舞が向上する。
【００２６】
更に、前記下枠８ｂの上面の傾斜を急にすることで、足掛りとすることができなくなり、小児等の足掛り防止の機能を果すことができる。
【００２７】
図４は第３の実施の形態を示しており、雨仕舞を向上させると共に採光性、通風性を向上させたものである。
【００２８】
尚、第３の実施の形態に於いても、上枠８ａ、下枠８ｂ等の枠体８を躯体５に固定する方法等、小窓４の施工方法については第１の実施の形態と同様であるので、説明を省略する。
【００２９】
第３の実施の形態では、前記上枠８ａの下面を建屋側に向って下り傾斜させ、前記下枠８ｂの上面を建屋側に向って上り傾斜させたものである。降雨時前記下枠８ｂの上面に付着した雨は、斜面に沿って流下していき、上面に溜ることがない。従って、雨仕舞が向上する。
【００３０】
更に、枠体８により形成される小窓孔１３は、戸外に向って広がる形状であり、該小窓孔１３に入射する太陽光の入射範囲が広がり、採光性が向上し、又前記小窓孔１３に流入する開口面積が増大するので、通風性も向上する。更に、建屋側の開口面積を小さくできるので、戸外側からの視野範囲が狭まり、プライバシの保護性が向上する。
【００３１】
又、第３の実施の形態に於いて、前記上枠８ａと前記下枠８ｂとを対称形状とすれば、同一断面の部材を使用することができ、枠体の製作費の低減ができる。
【００３２】
又、図４では上下の枠のみ示したが、左右の側枠についても、同様に前記小窓孔１３に臨接する面（側面）を傾斜させても良い。この場合、同一断面形状の部材を上下、左右に使用することもできる。
【００３３】
図５は第４の実施の形態を示すものである。
【００３４】
該第４の実施の形態は、第２の実施の形態の上枠８ａの下面を建屋側に向って下り傾斜させたものである。尚、第４の実施の形態に於いて、前記上枠８ａと下枠８ｂとを同一断面の部材とし、前記上枠８ａについては向きを変えることで対応することもでき、枠体の製作費の低減ができる。更に、第４の実施の形態では、前記上枠８ａの下面が傾斜しているので、採光性が向上する。又、下方から見た際の戸外側からの視野範囲が狭まるので、高所の小窓に用いることでプライバシの保護性も向上する。
【００３５】
図６は第５の実施の形態を示しており、下枠８ｂの断面形状を上面が山型形状となる様にしたものである。
【００３６】
該下枠８ｂの上面が傾斜面で構成されることから、降雨時前記下枠８ｂの上面に付着した雨は、斜面に沿って流下していき、上面に溜ることがない。従って、第５の実施の形態でも雨仕舞が向上する。
【００３７】
尚、前記上枠８ａ、下枠８ｂの断面形状については種々変更が可能であり、少なくとも前記下枠８ｂ上面を傾斜させることで、雨仕舞の向上が図れる。
【００３８】
上記した枠体８には、躯体５の戸外側に当接する様フランジ部１２を設けたが、前記躯体５に対し、戸外側と建屋側のどちらか一方の側にフランジ部１２を設けてもよく、又両側に設けてもよい。又、全て又は一部の該フランジ部１２を別体として前記枠体８の位置決め後に取付けできる様にしてもよい。尚、施工に於いて前記躯体５の小窓用開口に前記枠体８を挿入する時、前記小窓用開口を通過する前記枠体８の一部には、該一部が少なくとも通過する迄は、前記フランジ部１２を設けない方が、施工性が良好である。更に又、該フランジ部１２を省略し、該フランジ部１２を用いずに前記躯体５に接着等により固定してもよい。
【００３９】
前記枠体８の材質は、木製、樹脂製等金属製以外でもよく、小窓４の開口形状が四角形形状以外（円、三角等多角形形状、異形形状等）にも同様に適用できる。更に、前記枠体８を戸外側から設置する部材と建屋側から設置する部材とに、前記躯体５の厚さ方向に分割する様にしてもよい。この場合は分割された枠体同士の隙間から水等が浸入しない様に、雨仕舞処理を行うことが好ましい。
【００４０】
又、本発明はベランダの手摺に限らず、塀、建屋の壁、或は階段、高所通路、陸屋根等の腰壁等に実施可能であることは言う迄もない。
【図面の簡単な説明】
【００４１】
【図１】本発明が実施されるバルコニーの部分斜視図である。
【図２】本発明の第１実施の形態を示す断面図であり、図１のＡ−Ａ矢視図である。
【図３】本発明の第２実施の形態を示す断面図であり、図１のＡ−Ａ矢視図である。
【図４】本発明の第３実施の形態を示す断面図であり、図１のＡ−Ａ矢視図である。
【図５】本発明の第４実施の形態を示す断面図であり、図１のＡ−Ａ矢視図である。
【図６】本発明の第５実施の形態を示す断面図であり、図１のＡ−Ａ矢視図である。
【符号の説明】
【００４２】
１              ベランダ
２              外壁
３              手摺
４              小窓
５              躯体
８              枠体
９              バックアップ材
１１            コーキング材
１２            フランジ部
１３            小窓孔
１４            化粧パネル
【図１】
2007120197.tif 000003
【図２】
2007120197.tif 000004
【図３】
2007120197.tif 000005
【図４】
2007120197.tif 000006
【図５】
2007120197.tif 000007
【図６】
2007120197.tif 000008